(57)【特許請求の範囲】
【請求項１】
可撓性シースの先端に配置された鋸歯状の噛み合わせ縁を有する一対の鰐口型の鉗子カップが、上記可撓性シース内に挿通配置された操作ワイヤを軸線方向に進退操作することにより嘴状に開閉駆動される内視鏡用鰐口型生検鉗子であって、
上記操作ワイヤが基端側から牽引されて上記一対の鉗子カップが限界まで閉じた状態のときに、上記各鉗子カップの噛み合わせ縁の鋸歯状部分が、全範囲において隙間を有する状態で互い違いに噛み合わさるものにおいて、
上記操作ワイヤの進退運動を上記鉗子カップの開閉運動に変換するリンク機構が上記可撓性シースの先端部分に設けられていて、上記鉗子カップが限界まで閉じた状態のときに上記一対の鉗子カップどうしが当接しないように上記鉗子カップの閉じ動作を規制するストッパが、上記リンク機構部分に設けられていることを特徴とする内視鏡用鰐口型生検鉗子。
【請求項２】
上記一対の鉗子カップが限界まで閉じた状態のときの双方の噛み合わせ縁間の隙間が０．２ｍｍ以下である請求項１記載の内視鏡用鰐口型生検鉗子。
【発明の詳細な説明】
【０００１】
【発明の属する技術分野】
この発明は、鉗子カップの噛み合わせ縁が鋸歯状に形成された内視鏡用鰐口型生検鉗子に関する。
【０００２】
【従来の技術】
内視鏡用生検鉗子は一般に、可撓性シース内に挿通配置された操作ワイヤを軸線方向に進退操作することによって、可撓性シースの先端に配置された一対の鉗子カップが嘴状に開閉駆動されるようになっている。
【０００３】
そのような内視鏡用生検鉗子の鉗子カップには各種の形状があるが、図５に示される鰐口型生検鉗子は、鉗子カップ１を閉じたときに粘膜組織によく食い込むように、鉗子カップ１の噛み合わせ縁１ａが鋸歯状に形成されている。
【０００４】
【発明が解決しようとする課題】
図６は上述のような従来の内視鏡用鰐口型生検鉗子の鉗子カップ１が閉じた状態を示しており、鋸歯状部分に形成された双方の噛み合わせ縁１ａの尖った部分どうしが噛み合わされるように構成されている。
【０００５】
その結果、噛み合わせ縁１ａの尖った部分の先端が粘膜組織にある程度刺さった状態にはなるが、粘膜面に浅く食い込む状態にしかならないので、格別に優れた粘膜組織採取能力を得ることはできなかった。
【０００６】
また、鉗子カップ１を空間中で開閉させることによって噛み合わせ縁１ａの尖った部分どうしがぶつかって歯こぼれを起こし易いので、鉗子カップ１の切れ味が短期間で劣化してしまう場合があった。
【０００７】
そこで本発明は、鉗子カップの噛み合わせ縁が粘膜組織によく食い込んで優れた粘膜組織採取能力を得ることができ、しかも噛み合わせ縁に歯こぼれが発生し難くて耐久性の優れた内視鏡用鰐口型生検鉗子を提供することを目的とする。
【０００８】
【課題を解決するための手段】
上記の目的を達成するため、本発明の内視鏡用内視鏡用鰐口型生検鉗子は、可撓性シースの先端に配置された鋸歯状の噛み合わせ縁を有する一対の鰐口型の鉗子カップが、可撓性シース内に挿通配置された操作ワイヤを軸線方向に進退操作することにより嘴状に開閉駆動される内視鏡用鰐口型生検鉗子において、操作ワイヤが基端側から牽引されて一対の鉗子カップが限界まで閉じた状態のときに、各鉗子カップの噛み合わせ縁の鋸歯状部分が、互い違いに噛み合わさるようにしたものである。
【０００９】
なお、各鉗子カップの噛み合わせ縁の鋸歯状部分が、全範囲において隙間を有する状態で噛み合わさるようにすれば、歯こぼれの発生が防止されて耐久性上好ましい。
【００１０】
その場合、操作ワイヤの進退運動を鉗子カップの開閉運動に変換するリンク機構が可撓性シースの先端部分に設けられていて、鉗子カップが限界まで閉じた状態のときに一対の鉗子カップどうしが当接しないように鉗子カップの閉じ動作を規制するストッパが、リンク機構部分に設けられていてもよい。
【００１１】
また、一対の鉗子カップが限界まで閉じた状態のときの双方の噛み合わせ縁間の隙間は０．２ｍｍ以下であるのが好ましい。
【００１２】
【発明の実施の形態】
図面を参照して本発明の実施例を説明する。
図２は、内視鏡用鰐口型生検鉗子を示しており、図示されていない内視鏡の鉗子チャンネルに挿脱される可撓性シース２は例えば密着巻コイルパイプからなり、その内部には、軸線方向に進退自在に操作ワイヤ３が全長にわたって挿通配置されている。
【００１３】
可撓性シース２の基端（手元側）には、操作ワイヤ３を進退操作させるための操作部１０が連結されており、可撓性シース２の先端には、操作ワイヤ３によって開閉駆動される一対の鉗子カップ１が配置されている。
【００１４】
図１及び図３は内視鏡用鰐口型生検鉗子の先端部分を示しており、可撓性シース２の先端に固着された先端支持枠４に、鋸歯状の噛み合わせ縁１ａを有する一対の鉗子カップ１が、支持軸５を中心に嘴状に開閉するように支持されている。
【００１５】
操作ワイヤ３と鉗子カップ１との間にはパンタグラフ状のリンク機構６が配置されており、リンク機構６の後端部に配置されたワイヤ接続ロッド７に、操作ワイヤ３の先端部分が後方から連結固着されている。
【００１６】
その結果、操作部１０において操作ワイヤ３を進退操作することにより、ワイヤ接続ロッド７が軸線方向に進退して、操作ワイヤ３の進退動作を鉗子カップ１の開閉動作に変換するようにリンク機構６が動作し、一対の鉗子カップ１が嘴状に開閉駆動される。
【００１７】
このとき、操作ワイヤ３が基端側から牽引されて一対の鉗子カップ１が限界まで閉じた状態になると、各鉗子カップ１の噛み合わせ縁１ａの鋸歯状部分が、互い違いに噛み合わさる。
【００１８】
したがって、一対の鉗子カップ１の間に粘膜組織を挟み付けることにより、鉗子カップ１の噛み合わせ縁１ａが粘膜組織によく食い込んで、優れた粘膜組織採取能力を得ることができる。
【００１９】
また、図１に示されるように、操作ワイヤ３が基端側から牽引されて鉗子カップ１が限界まで閉じた状態のとき、ワイヤ接続ロッド７に形成された段部からなるストッパ８が、先端支持枠４に形成されたロッド通過孔の口元に当接して、それ以上鉗子カップ１が閉じないように鉗子カップ１の閉じ動作を規制している。
【００２０】
そのように鉗子カップ１が限界まで閉じた状態のとき、図４に示されるように一対の鉗子カップ１どうしは当接せず、双方の噛み合わせ縁１ａどうしが全範囲において隙間を有した状態で噛み合わさる。
【００２１】
したがって、鉗子カップ１を空間中で開閉させても噛み合わせ縁１ａどうしがぶつからず、歯こぼれが発生しないので、鉗子カップ１の切れ味が長期間にわたって劣化しない。
【００２２】
なお、鉗子カップ１が限界まで閉じた状態のとき、双方の鉗子カップ１の噛み合わせ縁１ａ間の隙間は０．２ｍｍ程度以下であるのが組織採取能力上から好ましく、製造上から０．０１ｍｍより大きいのが好ましい。
【００２３】
【発明の効果】
本発明によれば、操作ワイヤが基端側から牽引されて一対の鉗子カップが限界まで閉じた状態のときに、各鉗子カップの噛み合わせ縁の鋸歯状部分が互い違いに噛み合わさるようにしたことにより、噛み合わせ縁が粘膜組織によく食い込んで優れた粘膜組織採取能力を得ることができる。
【００２４】
また、各鉗子カップの噛み合わせ縁の鋸歯状部分が、全範囲において隙間を有する状態で噛み合わさるようにすることにより、噛み合わせ縁に歯こぼれが発生し難くて優れた耐久性を得ることができる。
【図面の簡単な説明】
【図１】本発明の実施例の内視鏡用鰐口型生検鉗子の鉗子カップが閉じた状態の先端部分の側面部分断面図である。
【図２】本発明の実施例の内視鏡用鰐口型生検鉗子の全体構造を示す外観側面図である。
【図３】本発明の実施例の内視鏡用鰐口型生検鉗子の鉗子カップが開いた状態の先端部分の側面部分断面図である。
【図４】本発明の実施例の内視鏡用鰐口型生検鉗子の鉗子カップが閉じた状態の先端部分の拡大側面図である。
【図５】従来の内視鏡用鰐口型生検鉗子の鉗子カップが開いた状態の先端部分の側面部分断面図である。
【図６】従来の内視鏡用鰐口型生検鉗子の鉗子カップが閉じた状態の先端部分の側面部分断面図である。
【符号の説明】
１  鉗子カップ
１ａ  噛み合わせ縁
２  可撓性シース
３  操作ワイヤ
４  先端支持枠
６  リンク機構
７  ワイヤ接続ロッド
８  ストッパ
１０  操作部
【図１】
0004629222.tif 000002
【図２】
0004629222.tif 000003
【図３】
0004629222.tif 000004
【図４】
0004629222.tif 000005
【図５】
0004629222.tif 000006
【図６】
0004629222.tif 000007